(57)【要約】【課題】出発地から目的地に至る経路を現地で実際に辿ることが容易になるようにすること。【解決手段】ネットワークを介して端末からアクセスされるサーバであって、  地図を保管する手段と、  各ランドマークについて、ランドマークの位置等の情報を保管する手段と、  端末にて、ユーザに、出発地と目的地との２地点を入力させる手段と、  情報が保管されているランドマークから、２地点の周辺に存在するものを見つける手段と、  ２地点と、２地点の周辺に存在するランドマークとの複数点を含む地図を、端末に表示させる手段とを備えることを特徴とする地図情報サーバ。【選択図】なし【特許請求の範囲】
【請求項１】
ネットワークを介して端末からアクセスされるサーバであって、
地図を保管する手段と、
各ランドマークについて、ランドマークの位置等の情報を保管する手段と、
端末にて、ユーザに、出発地と目的地との２地点を入力させる手段と、
情報が保管されているランドマークから、２地点の周辺に存在するものを見つける手段と、
２地点と、２地点の周辺に存在するランドマークとの複数点を含む地図を、端末に表示させる手段とを備えることを特徴とする地図情報サーバ。
【請求項２】
ネットワークを介して端末からアクセスされるサーバであって、
地図を保管する手段と、
各ランドマークについて、ランドマークの位置と名称等の情報を保管する手段と、
端末にて、ユーザに、出発地と目的地との２地点を入力させる手段と、
情報が保管されているランドマークから、２地点の周辺に存在するものを見つける手段と、
２地点と、２地点の周辺に存在するランドマークとの複数点を含む地図に、前記地図に含まれる各ランドマークの位置を示す各ランドマークの名称を付加する手段と、
各ランドマークの名称が付加された前記地図を、端末に表示させる手段とを備えることを特徴とする地図情報サーバ。
【請求項３】
ネットワークを介して端末からアクセスされるサーバであって、
地図を保管する手段と、
各ランドマークについて、ランドマークの位置と名称と重み等の情報を保管する手段と、
端末にて、ユーザに、出発地と目的地との２地点を入力させる手段と、
情報が保管されているランドマークから、２地点の周辺に存在するものを見つける手段と、
２地点と、２地点の周辺に存在するランドマークとの複数点を含む地図に、前記地図に含まれる各ランドマークの位置を示す各ランドマークの名称を、重みの大きさに応じた名称表示設定をして付加する手段と、
各ランドマークの名称が付加された前記地図を、端末に表示させる手段とを備えることを特徴とする地図情報サーバ。
【発明の詳細な説明】
【技術分野】
【０００１】
本発明は、地図情報サーバに関する。
【背景技術】
【０００２】
従来から、予め記憶された地図情報に基づく地図が階層的に表示され、当該地図上の地点であって、記憶された広告対象物の座標に相当する地点に、図象化した当該広告対象物（例えば、特定の店舗を示すアイコン）が表示され、所望する広告対象物の選択を促すことが、端末にて行われるようにするサーバが知られている（特許文献１参照）。
【０００３】
また、端末にて、図象化した当該広告対象物が全て表示されるだけではなく、選択して表示されるようにするサーバも知られている（特許文献２参照）。
【特許文献１】特開平０９−０３４９０２号公報
【特許文献２】特開平１１−１７４９５１号公報
【発明の開示】
【発明が解決しようとする課題】
【０００４】
ところで、特許文献１又は２のサーバを利用して、端末に、出発地と目的地とを含む地図を表示させた場合、次の２つの欠点がある。
【０００５】
第１に、出発地から目的地に至る経路を現地で実際に辿る上で目印となる物があっても、地図の表示範囲に含まれないことがある。
【０００６】
第２に、出発地から目的地に至る経路を現地で実際に辿る上で目印となる物が、地図の表示範囲に含まれていても、地図上では読み取れないことがある。
【０００７】
本発明は斯かる従来の技術の欠点に鑑みてなされたもので、出発地から目的地に至る経路を現地で実際に辿ることが容易になるようにすることを課題とする。
【０００８】
尚、本明細書では、出発地から目的地に至る経路を現地で実際に辿る上で目印となる物を、ランドマークと呼ぶことにする。
【課題を解決するための手段】
【０００９】
本発明において上記課題を達成するために、まず請求項１の発明では、ネットワークを介して端末からアクセスされるサーバであって、
地図を保管する手段と、
各ランドマークについて、ランドマークの位置等の情報を保管する手段と、
端末にて、ユーザに、出発地と目的地との２地点を入力させる手段と、
情報が保管されているランドマークから、２地点の周辺に存在するものを見つける手段と、
２地点と、２地点の周辺に存在するランドマークとの複数点を含む地図を、端末に表示させる手段とを備えることを特徴とする地図情報サーバとしたものである。
【００１０】
また請求項２の発明では、ネットワークを介して端末からアクセスされるサーバであって、
地図を保管する手段と、
各ランドマークについて、ランドマークの位置と名称等の情報を保管する手段と、
端末にて、ユーザに、出発地と目的地との２地点を入力させる手段と、
情報が保管されているランドマークから、２地点の周辺に存在するものを見つける手段と、
２地点と、２地点の周辺に存在するランドマークとの複数点を含む地図に、前記地図に含まれる各ランドマークの位置を示す各ランドマークの名称を付加する手段と、
各ランドマークの名称が付加された前記地図を、端末に表示させる手段とを備えることを特徴とする地図情報サーバとしたものである。
【００１１】
また請求項３の発明では、ネットワークを介して端末からアクセスされるサーバであって、
地図を保管する手段と、
各ランドマークについて、ランドマークの位置と名称と重み等の情報を保管する手段と、
端末にて、ユーザに、出発地と目的地との２地点を入力させる手段と、
情報が保管されているランドマークから、２地点の周辺に存在するものを見つける手段と、
２地点と、２地点の周辺に存在するランドマークとの複数点を含む地図に、前記地図に含まれる各ランドマークの位置を示す各ランドマークの名称を、重みの大きさに応じた名称表示設定をして付加する手段と、
各ランドマークの名称が付加された前記地図を、端末に表示させる手段とを備えることを特徴とする地図情報サーバとしたものである。
【発明の効果】
【００１２】
請求項１の発明には、出発地と目的地との２地点の周辺に存在するランドマークを手掛かりにして、出発地から目的地に至る経路を現地で実際に辿ることが容易にできるという効果がある。
【００１３】
また請求項２の発明は、出発地と目的地との２地点の周辺に存在するランドマークの位置を示すランドマークの名称が地図上に付加されているので、出発地と目的地との２地点の周辺に存在するランドマークを手掛かりにして、出発地から目的地に至る経路を現地で実際に辿ることが一層容易にできるという効果がある。
【００１４】
また請求項３の発明は、出発地と目的地との２地点の周辺に存在するランドマークの位置を示すランドマークの名称が、重みの大きさに応じた名称表示設定をして地図上に付加されているので、出発地と目的地との２地点の周辺に存在するランドマークを手掛かりにして、出発地から目的地に至る経路を現地で実際に辿ることがより一層容易できるという効果がある。
【００１５】
以上、本発明は、出発地から目的地に至る経路を現地で実際に辿ることが容易になるという効果がある。
【発明を実施するための最良の形態】
【００１６】
以下に、本発明の一実施形態を説明する。
【００１７】
１．構成
本実施形態では、図１に示すように、本発明の地図情報サーバと、一つ又は複数の端末とがネットワークに接続されている。
【００１８】
ネットワークは、本発明の地図情報サーバと、各端末との間でデータ通信が可能であれ
ば、その種類や形態に特に制限は無く、例えば、インターネットや専用回線でも良く、また、途中で光通信や無線通信が行なわれるものであっても良い。
【００１９】
端末は、パソコンなどのコンピュータ、或は、携帯電話機などの携帯情報端末である。
【００２０】
本発明の地図情報サーバは、図２に示すような構成を有するソフトウェアをインストールしたコンピュータシステムである。
【００２１】
本発明の地図情報サーバにインストールされるソフトウェアは、地図情報データベースと、この地図情報データベースにアクセスするアプリケーションプログラムとを有する。
【００２２】
地図情報データベースは、ベクトルデータ形式で表現された地図やランドマーク情報などの地図に係わる情報を保管する。
【００２３】
地図情報データベースにおいて、ランドマーク情報は、各ランドマークについて、ランドマークの位置、ランドマークの名称、ランドマークの重要度を表す重みがテーブルに格納されて保管される。この重みは、ランドマークの重要度が大きくなる程、大きな値を取る。
【００２４】
ランドマーク情報は、地図情報データベースとは別のデータベースに保管しても良い。
【００２５】
アプリケーションプログラムは、入力部分と、複数点算出部分と、中心点・縮尺決定部分と、名称付加部分と、地図表示部分とを有する。
【００２６】
入力部分は、端末にて、ユーザに、出発地と目的地の位置データを入力させるためのものである。
【００２７】
本明細書では、出発地と目的地とを２地点と略称する。
【００２８】
複数点算出部分は、地図情報データベースに情報が保管されているランドマークから、２地点の周辺にあるランドマークを見つけるためのものである。
【００２９】
２地点の周辺は、例えば、地図上で、２地点を結ぶ線を対角線とする長方形の内部と、この長方形の辺から外側に所定の距離以内との地域としても良い。また例えば、２地点の周辺は、地図上で、２地点を結ぶ経路上と、この経路から所定の距離以内との地域としても良い。
【００３０】
本明細書では、２地点の周辺にランドマークあれば、２地点と、２地点の周辺にあるランドマークとを、複数点と略称し、２地点の周辺にランドマークがなければ、２地点を複数点とも云う。
【００３１】
中心点・縮尺決定部分は、複数点の中心点を算出し、中心点と複数点との距離から、地図の最適縮尺を決定するためのものである。
【００３２】
中心点は、例えば、複数点の各位置を表す各座標の平均値を、各座標とする点としても良い。
【００３３】
最適縮尺は、例えば、中心点と複数点との距離と最適縮尺との関係を表す所定のテーブルを、予めデータベースに保管しておき、このテーブルにより決定しても良い。また例えば、最適縮尺は、中心点と複数点との距離と最適縮尺との関係を表す所定の数式から決定
しても良い。
【００３４】
また中心点・縮尺決定部分は、最適縮尺の地図の表示範囲を決定するためのものでもある。
【００３５】
表示範囲は、例えば、複数点の内、少なくとも、２地点と、最大の重みを持つランドマークとを含むように決定しても良い。また例えば、表示範囲は、複数点の内、少なくとも、２地点と、所定の大きさ以上の重みを持つランドマークとを含むように決定しても良い。また例えば、表示範囲は、複数点の内、２地点と、重みの大きい順に所定の数のランドマークとを含むように決定しても良い。また例えば、表示範囲は、全ての複数点を含むように決定しても良い。
【００３６】
名称付加部分は、地図情報データベースから、最適縮尺の地図の表示範囲に存在するランドマーク情報を全て読み出し、ランドマークの重みに応じたランドマークの名称表示設定をして、ランドマークの位置を示すランドマークの名称を、最適縮尺の地図の表示範囲内に付加するためのものである。
【００３７】
地図表示部分は、ランドマークの名称が表示範囲内に付加された最適縮尺の地図を、端末に表示させるためのものである。
【００３８】
図３に、本発明の地図情報サーバにより端末に表示された地図の例を示す。図３に示す地図は、図２中のランドマークの重みに従って、ランドマークの名称表示設定がなされており、重みが大きい程、目立つ名称表示となっている。
【００３９】
２．処理
以下に、本発明の地図情報サーバにより出発地と目的地とが含まれる地図を端末に表示するためになされる処理の流れの例を、図４のフローチャートに従って説明する。
【００４０】
Ｓ（ＳＴＥＰ）１；
本発明の地図情報サーバは、端末にて、ユーザに、２地点の位置データを入力させる。
【００４１】
ここで、２地点とは、上述の通り、出発地と目的地のことである。
【００４２】
Ｓ（ＳＴＥＰ）２；
本発明の地図情報サーバは、地図情報データベースに情報が保管されているランドマークから、２地点の周辺にランドマークが存在するか否かを確かめる。
【００４３】
２地点の周辺にランドマークが存在するならば、ＳＴＥＰ３に進む。
【００４４】
他方、２地点の周辺にランドマークが存在しないならば、ＳＴＥＰ４に進む。
【００４５】
Ｓ（ＳＴＥＰ）３；
本発明の地図情報サーバは、２地点の周辺に存在するランドマークの情報を、地図情報データベースから読み出す。
【００４６】
Ｓ（ＳＴＥＰ）４；
本発明の地図情報サーバは、複数点の中心点を算出する。
【００４７】
ここで、複数点とは、上述の通り、２地点の周辺にランドマークあれば、２地点と、２地点の周辺にあるランドマークとのことであり、他方、２地点の周辺にランドマークがな
ければ、２地点のことである。
【００４８】
Ｓ（ＳＴＥＰ）５；
本発明の地図情報サーバは、中心点と複数点との距離から、地図の最適縮尺を決定する。
【００４９】
Ｓ（ＳＴＥＰ）６；
本発明の地図情報サーバは、最適縮尺の地図の表示範囲を決定する。
【００５０】
Ｓ（ＳＴＥＰ）７；
本発明の地図情報サーバは、最適縮尺の地図の表示範囲内に存在するランドマーク情報を、全て、地図情報データベースから読み出す。
【００５１】
Ｓ（ＳＴＥＰ）８；
本発明の地図情報サーバは、ランドマークの重みに応じたランドマークの名称表示設定をして、ランドマークの位置を示すランドマークの名称を、最適縮尺の地図の表示範囲内に付加する。
【００５２】
Ｓ（ＳＴＥＰ）９
本発明の地図情報サーバは、ランドマークの名称が表示範囲内に付加された最適縮尺の地図を、端末に表示させる。
【図面の簡単な説明】
【００５３】
【図１】本発明の地図情報サーバを備えるシステムの構成例を示す図。
【図２】本発明の地図情報サーバにインストールされるソフトウェアの構成例を示す図。
【図３】本発明の地図情報サーバにより端末に表示された地図の例を示す図。
【図４】本発明の地図情報サーバにより出発地と目的地とが含まれる地図を端末に表示するためになされる処理の流れの例を示すフローチャート。
【図１】
2005037639.tif 000002
【図２】
2005037639.tif 000003
【図３】
2005037639.tif 000004
【図４】
2005037639.tif 000005